(57)【要約】【課題】  二種類の飲料を収納することのできる容器を提供する。【解決手段】  二種類の飲料を収納することのできる容器であって、上端部に第一飲口部１１を有し、下端部に第二飲口部１２を有するボトル本体１０の内部に、その内部を二分する隔壁１４を設けて、第一飲口部１１を備えた第一収納部１５と、第二飲口部１２を備えた第二収納部１６を形成し、第一収納部１５に一方の飲料を収納し、第二収納部１６に他方の飲料を収納するものとし、第一飲口部１１と第二飲口部１２に、キャップ２０を螺合する。【選択図】      図１
2008150101.tif 000002
【特許請求の範囲】
【請求項１】
二種類の飲料を収納することのできる容器であって、上端部に第一飲口部（１１）を有し、下端部に第二飲口部（１２）を有するボトル本体（１０）の内部に、該内部を二分する隔壁（１４）を設けて、前記第一飲口部を備えた第一収納部（１５）と、前記第二飲口部を備えた第二収納部（１６）を形成し、前記第一収納部に一方の飲料を収納し、前記第二収納部に他方の飲料を収納するものとし、前記第一飲口部と第二飲口部に、キャップ（２０）を組付けてなる二種飲料用容器。
【請求項２】
隔壁（１４）を、ボトル本体（１０）内部の所望高さ部分に、水平姿勢で設けてなる請求項１に記載の二種飲料用容器。
【請求項３】
隔壁（１４）を、ボトル本体（１０）の内部に、傾斜姿勢で設けてなる請求項１に記載の二種飲料用容器。
【請求項４】
隔壁（１４）を、ボトル本体（１０）の内部に、略階段状に設けてなる請求項１に記載の二種飲料用容器。
【請求項５】
隔壁（１４）を、ボトル本体（１０）の、第一収納部（１５）を形成する第一ボトル本体（１７）と、第二収納部（１６）を形成する第二ボトル本体（１８）とを、その底壁（１９）同士を合致させて形成し、前記ボトル本体の外周面で、前記第一ボトル本体と第二ボトル本体とを跨いだ部分にラベル（３０）を貼着してなる請求項１に記載の二種飲料用容器。
【請求項６】
第一飲口部（１１）を含むボトル本体（１０）の上端部である上壁部（１０ａ）と、第二飲口部（１２）を含むボトル本体（１０）の下端部である下壁部（１０ｂ）とが、それぞれ別体成形され、後工程において組み付けられたものである請求項１乃至４に記載の二種飲料用容器。
【請求項７】
キャップ（２０）を、第一飲口部（１１）と第二飲口部（１２）に組付く内キャップ部（２１）と、該内キャップ部と一体化され、ボトル本体（１０）と略等しい外径を有する外キャップ部（２２）とで形成してなる請求項１乃至６に記載の二種飲料用容器。
【請求項８】
内キャップ部（２１）を柔軟性素材で形成し、第一飲口部（１１）および第二飲口部（１２）に密着させてなる請求項７に記載の二種飲料用容器。
【発明の詳細な説明】
【技術分野】
【０００１】
本発明は、二種類の飲料を収納することのできる容器に関するものである。
【背景技術】
【０００２】
近年、ジュース、スポーツ飲料あるいはお茶等のあらゆる飲料を収納する容器として、例えば、プラスチック製のもの（ペットボトル等）や金属製のものなどが多く使用されている。こうした容器は安価に製造でき、また、軽量であるなどの大きな利点を有する。
【発明の開示】
【発明が解決しようとする課題】
【０００３】
しかし、こうした容器は一種類の飲料のみを収納するものであるため、例えば、二種類の飲料を少量ずつ飲みたい場合でも、二本購入しなければならない。従って、消費者に、必要以上の出費を強いてしまうといった問題がある。
【０００４】
また、例えば、二人がそれぞれ異なる飲料を少量ずつ飲みたい場合にも、それぞれが一本ずつ（合計二本）購入しなければならないので、無駄が発生する。
【０００５】
本発明はこうした点に鑑み創案されたもので、二種類の飲料を収納することのできる容器を提供することを課題とする。
【課題を解決するための手段】
【０００６】
図１乃至図９を参照して説明する。請求項１に記載の二種飲料用容器１は、二種類の飲料を収納することのできる容器であって、上端部に第一飲口部１１を有し、下端部に第二飲口部１２を有するボトル本体１０の内部に、該内部を二分する隔壁１４を設けて、前記第一飲口部１１を備えた第一収納部１５と、前記第二飲口部１２を備えた第二収納部１６を形成し、前記第一収納部１５に一方の飲料を収納し、前記第二収納部１６に他方の飲料を収納するものとし、前記第一飲口部１１と第二飲口部１２に、キャップ２０を螺合したものである。
【０００７】
請求項２に記載の二種飲料用容器１は、請求項１に記載の発明において、隔壁１４を、ボトル本体１０内部の所望高さ部分に、水平姿勢で設けたものである。
【０００８】
請求項３に記載の二種飲料用容器１は、請求項１に記載の発明において、隔壁１４を、ボトル本体１０の内部に、傾斜姿勢で設けたものである。
【０００９】
請求項４に記載の二種飲料用容器１は、請求項１に記載の発明において、隔壁１４を、ボトル本体１０の内部に、略階段状に設けたものである。
【００１０】
請求項５に記載の二種飲料用容器１は、請求項１に記載の発明において、隔壁１４を、ボトル本体１０の、第一収納部１５を形成する第一ボトル本体１７と、第二収納部１６を形成する第二ボトル本体１８とを、その底壁１９同士を合致させて形成し、前記ボトル本体１０の外周面で、前記第一ボトル本体１７と第二ボトル本体１８とを跨いだ部分にラベル３０を貼着したものである。
【００１１】
請求項６に記載の二種飲料用容器１は、請求項１乃至４に記載の発明において、第一飲口部１１を含むボトル本体１０の上端部である上壁部１０ａと、第二飲口部１２を含むボトル本体１０の下端部である下壁部１０ｂとが、それぞれ別体成形され、後工程において組み付けられたものである。
【００１２】
請求項７に記載の二種飲料用容器１は、請求項１乃至６に記載の発明において、  キャップ２０を、第一飲口部１１と第二飲口部１２に組付く内キャップ部２１と、当該内キャップ部２１と一体化され、ボトル本体１０と略等しい外径を有する外キャップ部２２とで形成したものである。
【００１３】
請求項８に記載の二種飲料用容器１は、請求項７に記載の発明において、内キャップ部２１を柔軟性素材で形成し、第一飲口部１１および第二飲口部１２に密着させたものである。
【発明の効果】
【００１４】
請求項１に記載の二種飲料用容器１は、ボトル本体１０の内部に隔壁１４を設けて第一収納部１５と第二収納部１６を形成したので、それぞれに異なる種類の飲料を収納することができる。従って、例えば、二種類の飲料を少量ずつ飲みたい場合にも、一本購入すればよく、よって、消費者に必要以上の出費を強いるといった問題を解決することができる。
【００１５】
また、例えば、二人がそれぞれ異なる飲料を少量ずつ飲みたい場合にも、その二種類の飲料が収納された一本を購入すれば良いので、無駄が発生しない。
【００１６】
請求項２に記載の二種飲料用容器１は、請求項１に記載の発明と同様の効果を発揮すると共に、隔壁１４を略水平姿勢で設けているので、例えば、透明のペットボトルの場合には、垂直姿勢で載置した場合に、第一収納部１５に収納されている一方の飲料と、第二収納部１６に収納されている他方の飲料を、それぞれ明確に視認することができる。従って、誤って、飲みたい飲料とは異なる飲料を口にしてしまうことがない。
【００１７】
請求項３に記載の二種飲料用容器１は、請求項１に記載の発明と同様の効果を発揮すると共に、隔壁１４を傾斜姿勢で設けているので、垂直姿勢で載置して横から見た場合に、二種類の飲料が重なって視認されるので、これらとは異なる別の新たな飲料の感じや色彩を現出する。従って、消費者に、これまでにない感覚的および視覚的な満足感を与えることができる。
【００１８】
請求項４に記載の二種飲料用容器１は、請求項１に記載の発明と同様の効果を発揮すると共に、隔壁１４を略階段状に設けているので、垂直姿勢で載置して横から見た場合に、その上部と下部とで異なる感じと色彩が現出される。従って、消費者に新たな満足感を与えることができる。
【００１９】
請求項５に記載の二種飲料用容器１は、請求項１に記載の発明と同様の効果を発揮すると共に、第一ボトル本体１７と第二ボトル本体１８の底壁１９で隔壁１４を形成するので、当該隔壁１４の形成、およびボトル本体１０の形成が容易である。さらに、ラベル３０で第一ボトル本体１７と第二ボトル本体１８を接合し、当該ラベル３０に商標の役目と共に構造的な役目（接着機能）を担わせるので、製造工程の簡略化を図ることができ、よって、生産性の向上を図ることができる。
【００２０】
請求項６に記載の二種飲料用容器１は、請求項１乃至４に記載の発明と同様の効果を発揮すると共に、上壁部１０ａと下壁部１０ｂが別体成形され、後工程において組付けられるので、隔壁１４を上壁部１０ａと下壁部１０ｂを組付ける前に形成することができる。従って、製造が容易となり、生産性の向上を図ることができる。
【００２１】
請求項７に記載の二種飲料用容器１は、請求項１乃至６に記載の発明と同様の効果を発揮すると共に、キャップ２０を内キャップ部２１と外キャップ部２２とで形成し、外キャップ部２２をボトル本体１０と略等しい外径としているので、垂直姿勢で載置した際の安定感に優れる。
【００２２】
請求項８に記載の二種飲料用容器１は、請求項７に記載の発明と同様の効果を発揮すると共に、内キャップ部２１を柔軟性素材で形成しているので、第一飲口部１１および第二飲口部１２に密着させることができ、よって、密閉性を高めることができる。これにより、飲料の漏出を未然に防止でき、また、炭酸飲料を収納した場合には、開封前のみならず、一旦、キャップ２０を開封した後にもとの状態に組付けた状態でも、そのガス抜けを確実に防止することができる。
【発明を実施するための最良の形態】
【００２３】
本発明に係る二週飲料用容器１の第一実施形態を、図１および図２に示す。これは、例えば、ジュースとスポーツ飲料などの二種類の飲料を収納することのできる透明の容器（ペットボトル）１である。この容器１は、上端部に第一飲口部１１を有し、下端部に第二飲口部１２を有し、ボトル本体１０の内部に、当該内部を二分する隔壁１４を設けて、第一飲口部１１を備えた第一収納部１５と、第二飲口部１２を備えた第二収納部１６を形成している。
【００２４】
そして、第一収納部１５に一方の飲料を収納し、第二収納部１６に他方の飲料を収納するものとしている。さらに、第一飲口部１１と第二飲口部１２に、キャップ２０を螺合組付けしている。なお、本実施形態では、隔壁１４を、ボトル本体１０内部の中間高さ部分に、水平姿勢で設けているが、本発明はこれに限定されず、例えば、図１の想像線で示すように、上位部分または下位部分に設けることもできる。
【００２５】
この二種飲料用容器１は、ボトル本体１０の内部に隔壁１４を設けて第一収納部１５と第二収納部１６を形成しているので、それぞれに異なる種類の飲料を収納することができる。従って、例えば、二種類の飲料を少量ずつ飲みたい場合にも、一本購入すればよく、よって、消費者に必要以上の出費を強いることがない。また、例えば、二人がそれぞれ異なる飲料を少量ずつ飲みたい場合にも、その二種類の飲料が収納された一本を購入すれば良いので、便利である。
【００２６】
さらに、隔壁１４を水平姿勢で設けているので、例えば、垂直姿勢で載置した場合に、第一収納部１５に収納されている一方の飲料と、第二収納部１６に収納されている他方の飲料を、それぞれ明確に視認することができる。従って、誤って、飲みたい飲料とは異なる飲料を口にしてしまうことがない。
【００２７】
本発明に係る二種飲料用容器１の第二実施形態を、図３に示す。この容器１の特徴は、隔壁１４を、ボトル本体１０の内部に、傾斜姿勢で設けたことである。この容器１も、第一実施形態と同様に、透明のペットボトルである。当該容器１は、垂直姿勢で載置して横から見た場合に、二種類の飲料が重なって視認されるので、これらとは異なる別の新たな飲料の感じや色彩を現出するといった特徴がある。こうした特徴によって、消費者に、これまでにない特有の満足感を与えることができる。
【００２８】
なお、この隔壁１４は、ボトル本体１０の内部を二等分する位置に設けているが、図３の想像線で示すように、それ以外の位置に設けることもできる。
【００２９】
本発明に係る二種飲料用容器１の第三実施形態を、図４に示す。この容器１は、隔壁１４を、ボトル本体１０の内部に、略階段状に設けたことを特徴としている。これにより、垂直姿勢で載置して横から見た場合に、その上部と下部とで異なる感じと色彩が現出されるので、消費者に新たな満足感を与えることができる。
【００３０】
本発明に係る二種飲料用容器１の第四実施形態を、図５および図６に示す。これは、隔壁１４を、ボトル本体１０の、第一収納部１５を形成する第一ボトル本体１７と、第二収納部１６を形成する第二ボトル本体１８とを、その底壁１９同士を合致させて形成したことを特徴としている。また、ボトル本体１０の外周面で、第一ボトル本体１７と第二ボトル本体１８とを跨いだ部分にラベル３０を貼着したことも特徴としている。
【００３１】
この二種飲料用容器１は、第一ボトル本体１７と第二ボトル本体１８の底壁１９によって隔壁１４を形成し、ボトル本体１０の内部に第一収納部１５と第二収納部１６を形成したので、それぞれに異なる種類の飲料を収納することができる。
【００３２】
また、第一ボトル本体１７と第二ボトル本体１８の底壁１９で隔壁１４を形成するので、当該隔壁１４の形成、およびボトル本体１０の形成が容易である。さらに、ラベル３０で第一ボトル本体１７と第二ボトル本体１８を接合し、当該ラベル３０に商標の役目と共に構造的な役目（接着機能）を担わせるので、製造が用生産性の向上を図ることができる。
【００３３】
本発明に係る二種飲料用容器１の第五実施形態を、図７に示す。この容器１の特徴は、第一飲口部１１を含むボトル本体１０の上端部である上壁部１０ａと、第二飲口部１２を含むボトル本体１０の下端部である下壁部１０ｂとが、それぞれ別体成形され、後工程において組み付けられたことである。
【００３４】
これにより、隔壁１４を、上壁部１０ａと下壁部１０ｂを組付ける前に形成することができるので製造が容易となり、生産性の向上を図ることができるといった優れた効果を発揮する。
【００３５】
本発明に係る二種飲料用容器１の第六実施形態を、図８に示す。この容器１は、キャップ２０を、第一飲口部１１と第二飲口部１２に組付く内キャップ部２１と、その内キャップ部２１と一体化され、ボトル本体１０と略等しい外径を有する外キャップ部２２とで形成したことを特徴としている。
【００３６】
外キャップ部２２をボトル本体１０と略等しい外径としたことにより、垂直姿勢で安定して載置することができる利点がある。なお、本実施形態では、内キャップ部２１の内周面に螺条を形成し、第一飲口部１１および第二飲口部１２の外周面に形成した螺条に螺合して組付けている。
【００３７】
本発明に係る二種飲料用容器１の第七実施形態を、図９に示す。この容器１は、内キャップ部２１を柔軟性素材で形成し、第一飲口部１１および第二飲口部１２に密着させたことを特徴としている。柔軟性素材は限定されないが、例えば、軟質樹脂やゴムなどが適当である。なお、本実施形態では、外キャップ部２２の内周面に螺条を形成し、ボトル本体１０の胴部１３の上下外周面に形成した螺条に螺合して組付けている。
【００３８】
この容器１は、内キャップ部２１を柔軟性素材で形成しているので、当該内キャップ部２１を第一飲口部１１および第二飲口部１２に密着させることができ、密閉性を高めることができる。これにより、飲料の漏出を、より未然に防止できる。また、炭酸飲料を収納した場合には、開封前のみならず、一旦開封した後に、再度組付けた状態でも、そのガス抜けを確実に防止することができる。
【００３９】
なお、上記いずれの実施形態においても、ボトル本体１０の胴部１３の形状は限定されず、円筒形状の他に、多角筒形状（四角筒、六角筒など）とすることができる。また、ボトル本体１０およびキャップ２０の形成材料も限定されず、ペットボトルなどのプラスチック製やアルミなどの金属製とすることができる。
【図面の簡単な説明】
【００４０】
【図１】本発明に係る容器の第一実施形態を示す一部破断正面図である。
【図２】図１に示す容器の一部破断平面図である。
【図３】本発明に係る容器の第二実施形態を示す一部破断正面図である。
【図４】本発明に係る容器の第三実施形態を示す一部破断正面図である。
【図５】本発明に係る容器の第四実施形態を示す一部破断正面図である。
【図６】図５に示す容器の一部破断平面図である。
【図７】本発明に係る容器の第五実施形態を示す一部破断正面図である。
【図８】本発明に係る容器の第六実施形態を示す一部破断正面図である。
【図９】本発明に係る容器の第七実施形態を示す一部破断正面図である。
【符号の説明】
【００４１】
１        二種飲料用容器
１０      ボトル本体
１０ａ    上壁部
１０ｂ    下部壁
１１      第一飲口部
１２      第二飲口部
１３      胴部
１４      隔壁
１５      第一収納部
１６      第二収納部
１７      第一ボトル本体
１８      第二ボトル本体
１９      底壁
２０      キャップ
２１      内キャップ部
２２      外キャップ部
３０      ラベル
【図１】
2008150101.tif 000003
【図２】
2008150101.tif 000004
【図３】
2008150101.tif 000005
【図４】
2008150101.tif 000006
【図５】
2008150101.tif 000007
【図６】
2008150101.tif 000008
【図７】
2008150101.tif 000009
【図８】
2008150101.tif 000010
【図９】
2008150101.tif 000011